(57)【特許請求の範囲】
【請求項１】
ハウジングと、
前記ハウジングの内部に設けられて、前記ハウジングの内部空間を縦に区画して一定量の水溶液が満たされる二個のチャンバを形成し、区画された内部空間の上端部が相互連通されるように設けられる区画板と、
前記各チャンバ内の上部に設けられてイオン交換樹脂を含む一個又は二個以上のカートリッジと、
前記カートリッジが設けられた位置より低い位置で前記チャンバの外側板に形成される一個又は二個以上のガス引き込み口と、
前記各チャンバに形成された前記ガス引き込み口に連結される一個又は二個以上のガス引き込み管と、
前記ハウジングの上板に形成されるガス排出口と、
前記各チャンバの下部に各々形成される前記水溶液を流入させたり排出させるための一つ又は二つ以上の流入排出口と、
前記一つ又は二つ以上の各々の流入排出口を相互連結する一つ又は二つ以上の連結管と、
前記一つ又は二つ以上の連結管に設けられる一つ又は二つ以上の水位調節ポンプを含むことを特徴とするイオン交換スクラバー。
【請求項２】
前記カートリッジは、
一方向に所定の長さを有して突出される多数の突出部と、
前記突出部が等間隔を有するように設けられる中央板と、
前記突出部と同じ一方向に所定の長さを有して前記突出部と同一な等間隔を有するように形成された多数の桟を有する２個の側面グリルと、
前記２個の側面グリルの少なくとも一側面以上を覆う前記イオン交換樹脂で構成され、前記多数の桟が前記中央板の多数の突出部と当接しなくて相互打ち違えるように前記中央板の両面に付着される２個の側面グリルが結合されることを特徴とする請求項１に記載のイオン交換スクラバー。
【請求項３】
前記チャンバの内部には、前記ガス引き込み口より低い位置に設けられて前記チャンバ内部を上、下に区画するフィルタと、前記チャンバの外側板には、前記フィルタより高い位置に形成されて前記水位調節ポンプによって前記チャンバの水位が変化された時の最低水位よりは低い位置に設けられる一つ又は二つ以上の水溶液流出口と、前記フィルタより低い位置に形成される一つ又は二つ以上の水溶液流入口と、前記水溶液流出口と前記水溶液流入口に各々管を通して連結されて前記チャンバ内の水溶液を循環される水で用いるガススクラバー装置と、前記チャンバ内の水溶液が前記ガススクラバー装置を通して循環できるように水溶液の循環経路中に設けられる循環ポンプを含むことを特徴とする請求項１に記載のイオン交換スクラバー。
【請求項４】
前記ハウジング内の下部に傾斜板を設置して、傾斜板下に形成される空間内には前記水溶液が浸透できないようにし、前記水位調節ポンプを前記ハウジング内の前記傾斜板下の空間に設置することを特徴とする請求項１に記載のイオン交換スクラバー。
【請求項５】
前記チャンバ内に満たされた水溶液と一緒に下部に沈殿されたパウダーを除去するために前記チャンバの下部にドレーンポンプが連結されたことを特徴とする請求項１または３に記載のイオン交換スクラバー。
【請求項６】
前記ハウジングの下部の容積が前記カートリッジが設けられた上部の容積より大きく形成されたことを特徴とする請求項１に記載のイオン交換スクラバー。
【発明の詳細な説明】
【０００１】
【発明の属する技術分野】
本発明はイオン交換スクラバーに係り、さらに詳細にはイオン交換樹脂を用いてガスの有害物質を除去して、汚染されたイオン交換樹脂を水溶液で洗浄して復元することによって汚染されたガスを処理するイオン交換スクラバーに関する。
【０００２】
【従来の技術】
従来、水式のガススクラバーが知られている。この水を用いる従来のガススクラバーは、スクラバーハウジングの上側にノズルなどが設置され、これを通じてハウジング内部に水を噴射し、ハウジング側面に形成されたガス吸入口から吸入されたガスの中の水溶性汚染物質が、噴射された水に溶け入り精製処理された後、精製処理されたガスが排出口を通じて排出されるようにした装置であった。ここで用いられる水は、工業用水、家庭用水、雨水、純水等が考えられるが、主に工業用水が用いられていた。
【０００３】
【発明が解決しようとする課題】
従来の水を用いる方式のガススクラバーは、ガスに含まれた有害物質を除去するために莫大な量の水を必要とすることによって、それに従う経済的負担が大きく、また莫大な量の汚染された水を排出するために汚染された水を処理することに伴う負担も相当であった。また付随的に、装置が複雑で汚染されたガスを除去する過程で発生する中和塩（以降、単に塩ともいう）のパウダーによってガススクラバー内で用いられる管やノズルなどが詰まることによって頻繁な故障の原因にもなった。
【０００４】
それで本発明は前記した問題点を解決するために、ガスを除去するためにイオン交換樹脂を利用して、これを洗浄して復元するための水溶液をスクラバー内に貯蔵して一定期間繰り返して用いることによって、水使用量を大幅減らして経済的ながらも高いガス処理効率を有するイオン交換スクラバーを提供することに目的がある。また付随的には、水を供給することにおいてノズルがなくても作動可能なように発明を構成して、従来技術の問題点であったノズルの詰まり等による故障の危険を減らすことができる。
【０００５】
【課題を解決するための手段】
本発明によるイオン交換スクラバーは、ハウジングと、ハウジングの内部に設けられて、ハウジングの内部空間を縦に区画して一定量の水溶液が満たされる二個のチャンバを形成し、区画された内部空間の上端部が相互連通されるように設けられる区画板と、各チャンバ内の上部に設けられてイオン交換樹脂を含む一個又は二個以上のカートリッジと、カートリッジが設けられた位置より低い位置でチャンバの外側板に形成される一個又は二個以上のガス引き込み口と、各チャンバに形成されたガス引き込み口に連結される一個又は二個以上のガス引き込み管と、ハウジングの上板に形成されるガス排出口と、各チャンバの下部に各々形成される水溶液を流入させたり排出させるための一つ又は二つ以上の流入排出口と、これら一つ又は二つ以上の各々の流入排出口を相互連結する一つ又は二つ以上の連結管と、これら一つ又は二つ以上の連結管に設けられる一つ又は二つ以上の水位調節ポンプを含んで構成されている。
【０００６】
このような構成によれば、イオン交換樹脂によってガス中の汚染物質を吸着処理して、チャンバ内に満たされる一定量の水溶液を水位調節ポンプによって両チャンバ内に交互でポンピングして水位を高めることによって各チャンバ内に設けられた前記イオン交換樹脂を水溶液に浸るようにして汚染物質を脱離させて洗浄して、少ない量の水でもイオン交換スクラバーの連続的な使用が可能となる。
【０００７】
さらに本発明のスクラバーを従来の水を用いるガススクラバーを連結して本発明によるチャンバ内に満たされた水溶液を従来のガススクラバー装置に循環するようにすることによって一定量の水でも従来の水を用いるガススクラバー装置を作動するようにし、このことによって、経済的で効率的に汚染されたガスの処理が可能となる。
【０００８】
【発明の実施の形態】
以下、本発明の望ましい実施例によるイオン交換スクラバーを示した図面によって説明する。尚、スクラバーは精製装置のことを意味し、ガス或いは空気精製装置を含む。
【０００９】
図１に示したように望ましい実施例によれば、ハウジング１０は、上板１１と下板１６、前板１７、後板１８、右、左側板１２、１３で包まれて形成されている。ハウジングの内部には区画板１４が内部空間を縦に区画して二個のチャンバ１、２が形成されている。この区画版１４は、チャンバ１、２がその上側で互いに連通するように、従って上板１１に連結されないように、設けられる。
【００１０】
各チャンバ１、２の上部にはイオン交換樹脂２１を含むカートリッジ２０が設けられる。イオン交換樹脂とは放射線照射を利用して織物布地等流体のろ過が可能な多孔性の材料にラジカルを生成させて、必要によって陽イオンまたは陰イオンを交換できるように製造されたフィルタを指す。イオン交換樹脂はガス中の汚染物質に対して高い吸着効率を示し、かつ一定時間のあいだ高い除去効率を維持する利点を有する他、多量の汚染物質が吸着された場合酸性、または塩基性水溶液によって洗浄されて、反復的、半永久的に用いることができる利点がある。望ましい実施例によって図２（Ａ）に示した通りカートリッジ２０は同一な方向に長く形成されて一定な間隔の突出部２３ａ、２３ｂを有する中央板２３と、中央板２３の突出部２３ａ、２３ｂと同一な方向と一定な間隔の桟２４ａ、２５ａを有する二個の側面グリル２４、２５を含んで、側面グリル２４、２５の外側面に一枚以上のイオン交換樹脂２１が覆われるように構成される。
【００１１】
本発明の望ましい実施例によれば、カートリッジの構成と作用を具体的に説明すると、図２（Ａ）に示した通り二個の側面グリル２４、２５は中央板２３の両面に付着され、この際、側面グリル２４、２５と中央板２３が付着された後には側面グリル２４、２５の桟２４ａ、２５ａと中央板２３の突出部２３ａ、２３ｂが相互打ち違えるように、すなわち、指合状（インターディジタル：ｉｎｔｅｒｄｉｇｉｔａｌ）に形成されている。図２（Ｂ）にａおよびｂで示したような形態でガスの経路が形成されることによって、カートリッジ下部から流入するガスが中央板２３と側面グリル２４、２５の打ち違えた突出部と桟とによって形成されたジグザグの経路ａおよびｂに沿って通過して上部に排出されるので、カートリッジ２０内でガスがとどまる時間が長くなり、かつイオン交換樹脂２１にガスが接触する時間が長くなる。その結果、効率的にガスから有害物質を吸着できることになる。
【００１２】
側面グリル２４、２５の外側を覆うイオン交換樹脂２１として、本発明の望ましい実施例によってイオン交換ができるように処理された織物布地などを用いることができる。カートリッジ２０がいくつか重なりカートリッジ段をなして設けられる場合には、イオン交換樹脂２１を、カートリッジ２０間の間に一枚のみ設けることができるように、側面グリル２４または２５の一方の外側面すなわち一つのカートリッジでの片面のみを覆うように設けると共に、このカートリッジ段の最も外側に設けられる二つのカートリッジには両外側面すべてをイオン交換樹脂２１で覆うようにする。これにより、重なった数個のカートリッジ２０からなるカートリッジ段の全体外面に一枚ずつ、かつ各々のカートリッジ２０の間に一枚ずつイオン交換樹脂２１が位置する。
【００１３】
図１に示した通り、望ましい実施例によれば、ハウジング１０の右側面１２または左側面１３にはカートリッジ２０が設けられた下部分にガスの引き込み口３０が形成されてガス引き込み口３０にはガス引き込み管３１が連結される。ガス引き込み管３１を通して引き込んだガス中に含まれたＨＣｌ等の汚染物質は、ガスがカートリッジ２０の下部に流入してカートリッジ内に形成されたジグザグの経路ａおよびｂを通過するあいだ、イオン交換樹脂２１に吸着される。このイオン交換樹脂２１で吸着処理されたガスはハウジング１０の上部に形成されたハウジング内部の連通空間（図３に１０ａで示す）を過ぎて上板１１に形成された排出口４０を通してハウジング１０の外部に排出される。
【００１４】
図３ないし図７に示した通り、ハウジング１０の各チャンバ１、２には一定量の水溶液が満たされる。この水溶液としてはガスに含まれた汚染物質の種によって酸性または塩基性の水溶液が用いられる。汚染物質がＨＣｌ等の酸性物質である時にはイオン交換樹脂２１に吸着された汚染物質を脱離して洗い落とすためにＮａ2ＣＯ3やＮａＯＨなどを含む塩基性の水溶液を用いることができる。また、汚染物質がＮＨ3等の塩基性物質である時にはＨ2ＳＯ4などを含む酸性の水溶液を用いることができる。
【００１５】
このように、本発明ではイオン交換樹脂に吸着した酸性または塩基性のガスを脱離させるため、吸着したガスと反対の性質をもった塩基性または酸性の水溶液を用いるもので、純粋な中性の水ではない塩基性または酸性の水溶液を用いる。
【００１６】
本発明の望ましい実施例によって、図１に示したようにカートリッジ２０が設けられている空間より下側のハウジング１０の下部は、カートリッジ２０が設けられた上部より大きい体積を有するように形成して前記ハウジング１０が貯蔵することができる水溶液の容量を劇的に高めることができる。
【００１７】
図１に示したように各チャンバ１、２の下部には二つのチャンバ１、２を連通するように各々一つ又は二つ以上の流入排出口６１ａ、６２ａが形成されて流入排出口には両チャンバ１、２に形成された流入排出口を相互連結する連結管６１、６２が連結される。連結管６１、６２には一つ以上の水位調節ポンプ６０が設けられる。水位調節ポンプ６０はチャンバ１、２中いずれか一つの側に満たされた水溶液を他の側のチャンバにポンピングする作用をするが、このために一個以上の両方向ポンプ、または２個以上の一方向ポンプを設けることができる。ポンピングによって、ハウジング１０内の全体水溶液の量が一定な状態で各チャンバ１、２内の水溶液水位を変化させることができる。これによって、チャンバ１、２内に設けられたカートリッジ２０のイオン交換樹脂２１が交互に水溶液に浸るようにすることによって、イオン交換樹脂２１に吸着された汚染物質を脱離させることが出来るので、イオン交換樹脂の洗浄が可能となる。また、水位調節ポンプ６０が停止しているときには、ポンプ内を通じて水溶液が自由に連通するため、チャンバ１、２内の水位は平衡により同一レベルになる。
【００１８】
このように、この発明のイオン交換スクラバーによれば、水位調節ポンプ６０による作用で水位を調節してイオン交換樹脂２１の汚染物質を除去する構成としてあるので、洗浄用水を供給するための別途のノズルなどの装置が必要とならず、従って、構成を単純化して装置の複雑化による故障等の危険を減らすことができる。
【００１９】
本発明の望ましい実施例によれば、図１に示したようにハウジング１０内の下部には傾斜板１５を設置して、傾斜板１５とハウジング１０の下板１６間に空間が形成されるようにし、この空間内に水位調節ポンプ６０が設けられるようにする。各チャンバ１、２内部に位置する各連結管６１、６２の端部を、鉤形で入口が下の方に向けるように曲がって、沈殿されるパウダー６４が連通管６１、６２と水位調節ポンプ６０装置内に入れないように形成することができる。傾斜板１５のまた他の利点はハウジング内に沈殿されるパウダーが傾斜板１５の傾斜路下方に集まるようにすることである。
【００２０】
本発明の望ましい実施例によれば、各チャンバ１、２内の水溶液の取り替えのために水溶液を抜いたり、チャンバ１、２の下端に積まれたパウダーを除去するために、図１に示した通り傾斜板１５の傾斜路下方に相当するハウジング１０の前板１７の下部にドレーンポンプ８０を連結し設けてある。
【００２１】
本発明の望ましい実施例によれば、図３に示した通り、水を用いる従来のガススクラバー９０を本発明によるハウジング１０に連結させて設けることができる。水を用いる従来のガススクラバーは、スクラバーハウジングの上側にノズルなどが設置され、これを通じてハウジングの内部に水を噴射し、ハウジング側面に形成されたガス吸入口から吸入されたガスの中の水溶性廃ガスが、噴射された水に溶け入り精製処理された後、精製処理されたガスが排出口を通じて排出されるようにする装置である。このような水を用いる従来のガススクラバー９０を単独で用いる場合には、持続的に多量の水を外部から供給しなければならなくて、従来のガススクラバー９０のガス処理過程で生成したパウダーと処理水を持続的に除去しなければならないので、多量の水が必要となるとともに、別途のパウダー処理装置が必要になる。
【００２２】
しかし、本発明のイオン交換スクラバーによれば、水を用いる従来のガススクラバー９０を本発明によるハウジング１０のチャンバ１、２に連結して用いる場合、チャンバ１、２内の水溶液が従来のガススクラバー９０内を通過して循環できるようにすることによって、従来のガススクラバー９０に用いられる水の量を減らすことが出来、さらには、従来のガススクラバー９０での処理水と一緒に生成したパウダーをチャンバ１、２内に再び流入するようにすることによって、別途のパウダー処理装置を不要とすることができる。
【００２３】
上述したような作用を遂行するために本発明によるイオン交換スクラバーを次のように構成することができる。すなわち図３に示した通り、チャンバ１、２の内部にはチャンバ１、２内部を上、下に区画するフィルタ５０をガス引き込み口３０より低い位置に設ける。さらに、ハウジング１０の右側板１２または左側板１３には一つ又は二つ以上の水溶液流出口９１をフィルタ５０より高い位置であって、水位調節ポンプ６０によってチャンバ１、２の水溶液の水位が変化された時の最低水位よりは低い位置に設ける。さらに、一つ又は二つ以上の水溶液流入口９２をフィルタ５０より低い位置に設ける。水を用いる従来のガススクラバー装置９０は水溶液流出口９１と水溶液流入口９２に各々管を通して連結されてチャンバ１、２内の水溶液が循環されるようにする。望ましい実施例によれば、チャンバ１、２内の水溶液が従来のガススクラバー９０を通して循環できるように水溶液の循環経路中に循環ポンプ９３を設置することができる。フィルタ５０は従来のガススクラバー９０から流入する処理水が上向移動する時、流入した処理水に含まれたパウダーがチャンバ１、２の上部側に上がることを防ぐ。本発明の望ましい実施例によれば、従来のガススクラバー９０を一個又は二個以上を設置して用いることができる。
【００２４】
本発明によるカートリッジ２０のイオン交換樹脂２１の処理効率復元のためにイオン交換樹脂２１に吸着された汚染物質を除去する過程を示した図面によって段階的に説明する。
【００２５】
カートリッジ２０を構成するイオン交換樹脂２１は、相当長い時間のあいだ汚染ガスの処理効果を持続できるが、多量の汚染物質が吸着された場合、周期的にこれを脱離させてイオン交換樹脂２１の効率を復元させる過程が必要である。したがって本発明の望ましい実施例によれば、チャンバ１、２に満たされた酸性または塩基性の水溶液を用いて汚染されたイオン交換樹脂２１を洗浄するが、その過程は次のとおりである。
【００２６】
第１段階ではまず図４に示したとおりの状態を形成するために、水位調節ポンプ６０は図示された状態の右側チャンバ１に満たされている水溶液を各々のチャンバに形成された流入排出口６１ａ、６２ａを連結する右側連結管６１を通して吸収して、左側チャンバ２側に連結された左側連結管６２を通して排出する。このようにポンピングを続けることによって、右側チャンバ１側の水溶液の水位は低くなって、左側チャンバ２の水位は継続的に高まり、結局図４に示した通り左側チャンバ２に設けられたカートリッジ２０のカートリッジ段が水溶液に完全に浸って、水溶液は区画板１４の上端をあふれて右側チャンバ１に流入する状態になる。したがって両チャンバの水位は図４に示した状態で一定に維持される。この際左側チャンバ２のカートリッジ２０のカートリッジ段が完全に浸った状態であるので、この状態で左側チャンバ２に設けられたカートリッジ２０内のイオン交換樹脂２１に吸着された汚染物質は水溶液によって脱離されて洗浄される。
【００２７】
また、図４に示した通り、本発明の望ましい実施例によれば、ガス引き込み管３１、３１′が引き込み口３０、３０′から上向に設けられている場合、図示された状態の左側チャンバ２内の水溶液の水位が高まることによって、左側板１３に形成された左側ガス引き込み口３０′を通して左側ガス引き込み管３１′に水溶液が流入して、左側チャンバ２内の水溶液の水位に該当するほど左側ガス引き込み管３１′内に水溶液が満たされる。望ましい実施例によってガス引き込み管が概略Ｔ字形に形成されて両端が各々のチャンバ１、２のガス流入口３０、３０′に連結されて残り一端を通してガスが引き込む場合、図４に示したようにカートリッジ２０が洗浄されているあいだには左側チャンバ２に連結された左側ガス引き込み管３１′には水溶液が満たされてガスが引き込めないので、この状態では右側チャンバ１に設けられたカートリッジ２０でのみ汚染ガスの処理過程がおきる。
【００２８】
このようにガスの引き込みと遮断作用をバルブ等別途の装置を設けることなく水溶液の水位調節によって自動的に行うようになるので、装置の構成を単純化して装置の複雑化による故障の危険を減らすことができる。
【００２９】
第２段階では、水位調節ポンプ６０の作動を止めることによって図５に示した通りチャンバ１、２を連通して水溶液が流入排出される連結管６１、６２を通して水溶液が連通して両チャンバ１、２の水溶液の水位が平衡すなわち水面レベルが同一となる。この段階では両チャンバ１、２すべてにガス引き込み管３１、３１′を通してガスを引き込むことができるので、各チャンバ１、２に設けられたカートリッジ２０のイオン交換樹脂２１すべてで廃ガスの処理がなされる。望ましい実施例によれば、水溶液の取り替えのために図１に示したドレーンポンプ８０を通して水溶液を抜く必要がある際は、本発明によるイオン交換スクラバーのガス処理過程が進められるあいだ、この段階で水溶液の取り替えを行うことができる。
【００３０】
第３段階では、図６に示した通り、前述した第１段階の反対過程がおきて、これによって示した図面の右側チャンバ１の水溶液の水位は区画板１４の上段の高さまで上がってあふれて左側チャンバ２に水溶液が流入する状態になり、反対に左側チャンバ２は最低水位となる。この際第１段階と同様に、右側チャンバに連結されたガス引き込み管３１内には水溶液が一定の高さまで満たされ、これによって右側チャンバ１にはガスが流入されなくて、右側チャンバ１内に設けられたイオン交換樹脂２１で汚染物質が脱離されて洗浄されるのでイオン交換樹脂２１の処理効率が復元される。この段階では左側チャンバ２内でのみガスの処理過程が遂行される。
【００３１】
第４段階は、図７は、本発明の一実施例による水を用いる従来のガススクラバー装置９０が含まれて構成された場合の本発明によるイオン交換スクラバーのフィルタ５０の洗浄を説明するための図であって、前述したように水溶液が従来のガススクラバー装置９０から循環されて水溶液と一緒にパウダー６４がチャンバ１、２内に流入した場合、チャンバ１、２内の水溶液の水位が高まれば、浮遊したパウダーが一緒にチャンバ１、２の上部に移動するようになる。この際に、パウダーはチャンバ１、２内に設けられたフィルタ５０によってろ過されて上部に移動できなくなるが、この際フィルタ５０の下段にはパウダー６４が付着されるようになる。図７に示した通り、チャンバ１内の水溶液が最高水位から低くなる過程で前記フィルタ５０の底面に付着されたパウダー６４は自然にフィルタ５０から落ちてチャンバ１の下部に沈むので、自動的にフィルタの洗浄がおきる。
【００３２】
以後水溶液の取り替えがなされたり、パウダーの除去が必要な場合には前述したようにドレーンポンプ８０によって沈んだパウダーの除去が行われる。
【００３３】
また、イオン交換樹脂の洗浄によって生じる塩は、一部フィルタ５０上部に着くことがあるが、量が少ないので、定期的に洗浄を行うことにより、イオン交換スクラバーの性能に大きな影響を与えることはないと考えられる。
【００３４】
【発明の効果】
上述したように構成された本発明によるイオン交換スクラバーは、ガスに含まれた汚染物質を除去するために処理効率が高くて、半永久的に使用が可能なイオン交換樹脂を用いて、イオン交換樹脂に吸着された汚染物質を脱離させるための過程で一定量の水溶液を繰り返して用いることができるように水位調節ポンプを利用して水溶液の水位を調節して各チャンバに設けられたカートリッジ内のイオン交換樹脂を交互で洗浄することによって、従来の水を用いるガススクラバーに比べて水の使用量を大幅減らして、ノズルなどの装置を省略することによって装置の単純化をなして頻繁な故障などの危険を防止しながらも高いガス処理効率を有することができた。同程度の処理効率（単位処理時間あたりの処理する排ガスの体積）を有する従来の水を用いるガススクラバーに比べて数百分の１の水の量だけでもガスの処理が可能である。
【００３５】
さらに、従来の水を用いるガススクラバーを含むように本発明によるイオン交換スクラバーを構成した場合、従来の水を用いるガススクラバーが必要とする洗浄水が本発明によるイオン交換スクラバーのハウジング内の水溶液を循環して供給されるように構成することによって単独で水を用いる従来のガススクラバーを用いる場合に比べて水の使用量を大幅減らして、またその過程で生成するパウダーも一緒に除去することができる効果をおさめることができた。
【００３６】
以上のように本発明を望ましい実施例による図面によって説明したが、本発明は図示して説明した実施例による構成及び作用に限定することではない。むしろ添付された特許請求範囲の思想及び範疇を逸脱せずに本発明に対する多数の変更及び修正が可能であることを当業者はよく理解できることである。したがって、そういうすべての適切な変更及び修正と均等物も本発明の範囲に属することと見做されなければならない。
【図面の簡単な説明】
【図１】本発明の望ましい実施例によるイオン交換スクラバーの構成を示す斜視図である。
【図２】（Ａ）は、本発明の望ましい実施例によるカートリッジの構成を示すための分解斜視図である。（Ｂ）は、本発明の望ましい実施例によるカートリッジの側断面図とカートリッジ内での空気の流れを示す部分拡大図である。
【図３】本発明の望ましい実施例によって水を用いる従来のガススクラバーが連結された状態を示す本発明によるイオン交換スクラバーを正面で眺めた断面図である。
【図４】本発明の望ましい実施例によって水溶液の水位が調節される過程を通して本発明によるイオン交換スクラバーの作動を示すための正面で眺めた断面図である。
【図５】本発明の望ましい実施例によって水溶液の水位が調節される過程を通して本発明によるイオン交換スクラバーの作動を示すための正面で眺めた断面図である。
【図６】本発明の望ましい実施例によって水溶液の水位が調節される過程を通して本発明によるイオン交換スクラバーの作動を示すための正面で眺めた断面図である。
【図７】本発明の望ましい実施例によって水溶液の水位が調節される過程を通して本発明によるイオン交換スクラバーの作動を示すための正面で眺めた断面図である。
【符号の説明】
１０：ハウジング
１５：傾斜板
２０：カートリッジ
２１：イオン交換樹脂
３０：ガス引き込み口
３１：ガス引き込み管
４０：排気口
５０：フィルタ
６０：水位調節ポンプ
８０：ドレーンポンプ
９０：従来のガススクラバー
【図１】
0003864124.tif 000002
【図２】
0003864124.tif 000003
【図３】
0003864124.tif 000004
【図４】
0003864124.tif 000005
【図５】
0003864124.tif 000006
【図６】
0003864124.tif 000007
【図７】
0003864124.tif 000008